(57)【要約】【課題】キーボードの操作時に、ポインティングデバイスからの意図しない入力を防ぐとともに、当該ポインティングデバイスの制御をより効率的に行うことが可能な情報処理装置及びポインティングデバイスの制御方法を提供する。【解決手段】複数のキーを有するキーボードと、ポインティングデバイスと、前記キーボードでのキー入力を検知し、当該キー入力間の経過時間を計時する計時手段と、前記経過時間が予め定められた第１制限時間以内の場合に、前記ポインティングデバイスの機能をオフするポインティングデバイス制御手段と、を備える。【選択図】        図３
2010086065.tif 000002
【特許請求の範囲】
【請求項１】
複数のキーを有するキーボードと、
ポインティングデバイスと、
前記キーボードでのキー入力を検知し、当該キー入力間の経過時間を計時する計時手段と、
前記経過時間が予め定められた第１制限時間以内の場合に、前記ポインティングデバイスの機能をオフするポインティングデバイス制御手段と、
を備えたことを特徴とする情報処理装置。
【請求項２】
前記ポインティングデバイス制御手段は、前記ポインティングデバイスの機能がオフで、且つ、前記経過時間が予め定められた第２制限時間を上回った場合に、前記ポインティングデバイスの機能をオンすることを特徴とする請求項１に記載の情報処理装置。
【請求項３】
前記ポインティングデバイス制御手段は、少なくとも二つ以上のキー入力が検知された際の経過時間が前記第１制限時間以内の場合に、前記ポインティングデバイスの機能をオフすることを特徴とする請求項１又は２に記載の情報処理装置。
【請求項４】
前記ポインティングデバイス制御手段は、前記キーボードを制御するデバイスドライバであることを特徴とする請求項１〜３の何れか一項に記載の情報処理装置。
【請求項５】
前記ポインティングデバイス制御手段は、前記キーボードを制御するエンベデットコントローラであることを特徴とする請求項１〜３の何れか一項に記載の情報処理装置。
【請求項６】
前記計時手段は、前記複数のキーのうち、特定のキーのキー入力を、前記経過時間の計時対象から除外することを特徴とする請求項１〜５の何れか一項に記載の情報処理装置。
【請求項７】
前記特定のキーは、文字入力するための文字キーと同時に押下することで所定の機能を実現する制御キーであることを特徴とする請求項６に記載の情報処理装置。
【請求項８】
複数のキーを有するキーボードと、ポインティングデバイスとを備えた情報処理装置で実行されるポインティングデバイス制御方法であって、
計時手段が、前記キーボードでのキー入力を検知し、当該キー入力間の経過時間を計時する計時工程と、
ポインティングデバイス制御手段が、前記経過時間が予め定められた第１制限時間以内の場合に、前記ポインティングデバイスの機能をオフするポインティングデバイス制御工程と、
を含むことを特徴とするポインティングデバイス制御方法。
【発明の詳細な説明】
【技術分野】
【０００１】
本発明は、キーボードとポインティングデバイスとを備えた情報処理装置及びポインティングデバイス制御方法に関する。
【背景技術】
【０００２】
パーソナルコンピュータ（以下、パソコンと称す）等の文字入力が可能な情報処理装置では、入力装置としてキーボードが広く利用されている。また、キーボードの補助的な入力装置として、マウス、トラックボール、タッチパッド型のポインティングデバイスが併用されている。
【０００３】
これらポインティングデバイスは、主に、パソコンの表示画面に表示されているカーソルを任意の方向に移動させる作業を実施するために利用される。特にノート型パソコンに搭載されるポインティングデバイスとして、タッチパッドが広く利用されている。ノート型パソコンでは、タッチパッドがキーボードの手前に配置されており、ユーザがキーボード入力操作に手を振れやすい場所にある。そのためキー入力操作中に不意に触ってしまった場合にカーソルが意図しない方向へ移動してしまい、操作性を低下させてしまう場合があった。
【０００４】
そのため、従来、操作性向上のための種々の技術が提案されており、例えば、特許文献１には、キーボードの何れかのキー入力があった場合に、タッチパッドの操作を不許可とし、キー入力が所定の時間内に行われない場合には、タッチパッドの操作を許可する技術が開示されている。
【０００５】
【特許文献１】特開２００４−２９５７２７号公報
【発明の開示】
【発明が解決しようとする課題】
【０００６】
ところで、Ｗｉｎｄｏｗｓ（登録商標）等のオペレーションシステムでは、キー入力の簡略化のため、「はい（Ｙ）」や「いいえ（Ｎ）」等の問い合わせを行うメッセージボックス等のＧＵＩにおいて、「Ｙ」や「Ｎ」の一文字分のキー入力で応答できるよう構成されている。このようなＧＵＩの場合、一文字分のキー入力が行われた後、直ちにタッチパッドが操作される可能性がある。しかしながら、特許文献１に開示された技術のように、一文字分のキー入力がなされる毎にタッチパッド機能をオフする形態では、使用上不便が生じる可能性があり、また、タッチパッド機能をオン／オフする回数も増加するため非効率的である。
【０００７】
本発明は上記に鑑みてなされたものであって、キーボードの操作時に、ポインティングデバイスからの意図しない入力を防ぐとともに、当該ポインティングデバイスの制御をより効率的に行うことが可能な情報処理装置及びポインティングデバイスの制御方法を提供することを目的とする。
【課題を解決するための手段】
【０００８】
上述した課題を解決し、目的を達成するために、本発明は、複数のキーを有するキーボードと、ポインティングデバイスと、前記キーボードでのキー入力を検知し、当該キー入力間の経過時間を計時する計時手段と、前記経過時間が予め定められた第１制限時間以内の場合に、前記ポインティングデバイスの機能をオフするポインティングデバイス制御手段と、を備える。
【０００９】
また、本発明は、複数のキーを有するキーボードと、ポインティングデバイスとを備えた情報処理装置で実行されるポインティングデバイス制御方法であって、計時手段が、前記キーボードでのキー入力を検知し、当該キー入力間の経過時間を計時する計時工程と、ポインティングデバイス制御手段が、前記経過時間が予め定められた第１制限時間以内の場合に、前記ポインティングデバイスの機能をオフするポインティングデバイス制御工程と、を含む。
【発明の効果】
【００１０】
本発明によれば、第１制限時間以内にキー入力が連続的に行われた場合に、ポインティングデバイスの機能を無効化することで、キーボードの操作時にポインティングデバイスからの意図しない入力を防止することができる。また、複数のキー入力が行われた際のキー入力間の経過時間に基づいてポインティングデバイスを制御することで、一文字分のキー入力がなされる毎にタッチパッド機能がオフされてしまうことを防止することが可能であるため、ポインティングデバイスの制御をより効率的に行うことができる。
【発明を実施するための最良の形態】
【００１１】
以下添付図面を参照して、本発明にかかる情報処理装置、文字入力方法及びプログラムの最良な実施形態を詳細に説明する。なお、本発明は以下の実施形態に限定されないものとする。
【００１２】
まず、以下に説明する各実施形態に好適な情報処理装置について説明する。図１は、以下に説明する各実施形態に好適なノート型パソコンの概略構成を示した斜視図である。同図に示したように、パソコン１は、本体ケース２と、表示部ケース３と、ＬＣＤパネル４と、キーボード５とを有している。
【００１３】
本体ケース２は、その上面にキーボード５が配設されている。表示部ケース３は、ＬＣＤパネル４の表示領域が可視状態となるようＬＣＤパネル４の周辺部を保持している。また本体ケース２に配設されたキーボード５の下部（手前部）には、ポインティングデバイスとしてのタッチパッド６が配設されている。
【００１４】
キーボード５は、縦横に並べて配置された複数のキーから構成されている。ここで、キーボード５は、ユーザから各キーが押下されることにより文字入力や、コマンド入力を実施するものであって、主に文字入力をするための文字キーと、文字キーと同時に押下することで特殊な機能を実現するための「Ｓｈｉｆｔ」キーや「Ｃｔｒｌ」キー、「Ａｌｔ」キー等の制御キーとを有している。
【００１５】
［第１の実施形態］
図２は、第１の実施形態に係るパソコン１の内部構成を模式的に示した図である。パソコン１本体内は、パソコン１が動作するのに必要なデバイスにより構成されている。このパソコン１の制御を司るＣＰＵ１１と、第１のブリッジ回路１２とは６４ビット幅のデータバスを有するＣＰＵローカルバス１３によって接続されており、第１のブリッジ回路１２と主メモリ１４との接続はメモリバス１５を介して行う。また第１のブリッジ回路１２はＬＣＤパネル４も接続している。
【００１６】
第１のブリッジ回路１２と第２のブリッジ回路１６とは、３２ビット幅のデータバスを有する第１のバス１７によって接続されている。第２のブリッジ回路１６には１６ビット幅のデータバスを有する第２のバス２０を介して、エンベデッドコントローラ（以下、ＥＣと称す）１８及びＢＩＯＳ−ＲＯＭ１９が接続されている。
【００１７】
以下、上述したハードウェア構成の各構成要素について説明する。
【００１８】
ＣＰＵ１１は、パソコン１全体の動作制御及びデータ処理等を実行するものである。
【００１９】
第１のブリッジ回路１２は、ＣＰＵローカルバス１３と第１のバス１７との間を繋ぐブリッジＬＳＩであり、第１のバス１７のバスマスタデバイスの１つとして機能する。この第１のブリッジ回路１２は、ＣＰＵローカルバス１３と第１のバス１７との間で、データ及びアドレスを含むバス幅を変換する機能、及びメモリバスを介して主メモリ１４のアクセス制御をする機能等を有している。また、表示コントローラとしての機能も有しており、第１のブリッジ回路１２に接続されたＬＣＤパネル４へ表示データを送信する。
【００２０】
主メモリ１４は、オペレーティングシステム（以下、ＯＳと称す）１４１、ＢＩＯＳ１４２、イベントユーティリティソフト１４３、キーボードドライバ１４４、タッチパッドドライバ１４５等のソフトウェアプログラムがロードされるメモリデバイスであり、複数のＤＲＡＭ等によって構成される。ロードされた各ソフトウェアプログラムはＣＰＵ１１によって動作実行される。
【００２１】
ＯＳ１４１は、パソコンで実行されるアプリケーションプログラムや、ＢＩＯＳ１４２、イベントユーティリティソフト１４３、キーボードドライバ１４４、タッチパッドドライバ１４５等の動作を管理・制御するプログラムであり、図示しないハードディスク装置等の記憶装置から読み出され、主メモリ１４にロードされる。
【００２２】
ＢＩＯＳ１４２は、パソコン１内の各種ハードウェアをアクセスするファンクション実行ルーチンを体系化したものであり、パソコン１起動時に、ＢＩＯＳ−ＲＯＭ１９から読み出されたものである。
【００２３】
イベントユーティリティソフト１４３は、各種デバイスからのイベント発生（割り込み等）に応じて、適当な処理を行なうべくＯＳ１４１へ制御指示を行なう。
【００２４】
キーボードドライバ１４４は、キーボード５の入力操作に基づいて、ＥＣ１８から送信された入力信号を実行するプログラムである。
【００２５】
具体的に、キーボードドライバ１４４は、キーボード５の何れかのキーが入力されると、ＥＣ１８から送信された入力信号に基づいて入力されたキーを検知し、当該キーに応じた文字入力等のキーボードイベントをＯＳ１４１に発行する。
【００２６】
また、キーボードドライバ１４４は、ＥＣ１８から送信される入力信号の受信間隔、即ち、キーボード５でのキー入力間の経過時間を計時し、この経過時間に基づいてタッチパッド６の機能をオン／オフ制御する。なお、経過時間の計時は、メモリバス１５に流れるバスクロックや、図示しないＲＴＣ（Real  Time  Clock）等から得られる時刻情報に基づいて行われるものとする。
【００２７】
タッチパッドドライバ１４５は、タッチパッド６の接触操作に基づいて、ＥＣ１８から送信された入力信号を実行するプログラムであって、キーボードドライバ１４４からの指示やＯＳ１４１からの指示に応じて、ＥＣ１８からの入力信号を無効化（破棄等）することで、タッチパッド６の機能をオフとする。
【００２８】
第２のブリッジ回路１６は、第１のバス１７と第２のバス２０との間を繋ぐブリッジＬＳＩであり、第１のバス１７と第２のバス２０との間のバス変換等を行う。第２のブリッジ回路１６から延出する第２のバス２０には、ＥＣ１８及びＢＩＯＳ−ＲＯＭ１９が接続されている。
【００２９】
ＥＣ１８は、キーボード５及びタッチパッド６を制御するためのキーボードコントローラ（以下、ＫＢＣと称す）１８１を内蔵するマイクロコンピュータである。
【００３０】
ここで、ＫＢＣ１８１は、ＥＣ１８に接続されたキーボード５やタッチパッド６から入力される信号を所定の形式に信号変換し、ＥＣ１８に伝達する。ＥＣ１８は、ＫＢＣ１８１から伝達された信号を入力信号として、各入力デバイス（キーボード５、タッチパッド６）に応じたデバイスドライバ（キーボードドライバ１４４、タッチパッドドライバ１４５）に送信する。
【００３１】
また、ＥＣ１８は、ＣＰＵ１１によってリード／ライト可能な複数のレジスタ群を内蔵している（図示せず）。これらレジスタ群を使用することにより、ＣＰＵ１１とＥＣ１８に接続する各入力デバイスとの間の通信が可能となる。
【００３２】
ＢＩＯＳ−ＲＯＭ１９は、パソコン内の各種ハードウェアをアクセスするファンクション実行ルーチンを体系化したプログラムであり、パソコンの起動時に、読み出されるものである。なお、ＢＩＯＳ−ＲＯＭ１９は、図示しない不揮発性メモリ（フラッシュＲＯＭ）に記憶されている。
【００３３】
以下、図３を参照して、本実施形態の動作について説明する。ここで、図３は、本実施形態に係るポインティングデバイス制御処理の手順を示したフローチャートである。なお、本処理の前提として、パソコン１の起動時にタッチパッド６の機能が自動的にオンされるよう、ＢＩＯＳ−ＲＯＭ１９等に予め設定されているものとする。
【００３４】
パソコン１の起動に伴い、キーボードドライバ１４４等の各種のソフトウェアプログラムが主メモリ１４にロードされると（ステップＳ１１）、キーボードドライバ１４４は、ＥＣ１８から送信される入力信号の監視を開始し（ステップＳ１２）、キーボード５でのキー入力を検知可能な状態とする（ステップＳ１３；Ｎｏ）。
【００３５】
ここで、キーボード５の何れかのキーが入力されると、キーボードドライバ１４４は、ＥＣ１８から送信された入力信号により、このキー入力を検知する（ステップＳ１３；Ｙｅｓ）。
【００３６】
このとき、キーボードドライバ１４４は、ＥＣ１８から送信された入力信号の受信間隔、即ち、キー入力間の経過時間を計時し（ステップＳ１４）、直前のキー入力を検知したタイミングから所定時間（以下、第１制限時間と称す）以内に、次のキー入力を検知したか否かを判定する（ステップＳ１５）。なお、「第１制限時間」には、任意の時間を設定できるものとするが、例えば、１秒等、連続的にキー入力が行われた際の実際の時間間隔に基づいて定めることが好ましい。
【００３７】
ステップＳ１５において、直前のキー入力から第１制限時間以内に次のキー入力が検知されないと判定された場合には（ステップＳ１５；Ｎｏ）、ステップＳ１３に再び戻る。また、ステップＳ１５において、直前のキー入力から第１制限時間以内に次のキー入力が検知された場合（ステップＳ１５；Ｙｅｓ）、キーボードドライバ１４４は、タッチパッド６での操作を無効化するため、タッチパッド６の機能をオフとする（ステップＳ１６）。
【００３８】
具体的に、キーボードドライバ１４４は、タッチパッドドライバ１４５に入力信号の破棄を指示することで、タッチパッド６の機能をオフとし、タッチパッド６での接触操作を無効化する。なお、タッチパッド６の機能をオフする方法はこれに限らず、例えば、ＯＳ４１やイベントユーティリティソフト１４３を介して、入力信号を破棄するようキーボードドライバ１４４の動作を間接的に制御することで、タッチパッド６の機能をオフする形態としてもよい。
【００３９】
次いで、キーボードドライバ１４４は、直前のキー入力を検知したタイミングから所定時間（以下、第２制限時間と称す）以内に、次のキー入力を検知したか否かを判定する（ステップＳ１７）。なお、「第２制限時間」には、任意の時間を設定できるものとするが、連続的にキー入力が行われた際の実際の時間間隔に基づいて定めることが好ましい。また、第１制限時間と第２制限時間とを同一の値としてもよい。
【００４０】
ステップＳ１７において、第２制限時間以内に次のキー入力が検知された場合（ステップＳ１７；Ｙｅｓ）、ステップＳ１６の処理へと再び戻り、タッチパッド６の機能のオフ状態を継続する。
【００４１】
一方、ステップＳ１７において、第２制限時間以内に次のキー入力が検知されないと判定した場合（ステップＳ１７；Ｎｏ）、キーボードドライバ１４４は、タッチパッド６での操作を有効化するためタッチパッド６の機能をオンとした後（ステップＳ１８）、ステップＳ１３の処理へと再び戻る。
【００４２】
以上のように、第１の実施形態によれば、第１制限時間以内にキー入力が連続的に行われた場合に、タッチパッド６での操作を無効化することで、キーボード５の操作時にタッチパッド６からの意図しない入力を防止することができる。また、複数のキー入力が行われた際のキー入力間の経過時間に基づいてタッチパッド６を制御することで、一文字分のキー入力がなされる毎にタッチパッド機能がオフされてしまうことを防止することが可能であるため、タッチパッド６の制御をより効率的に行うことができる。
【００４３】
なお、本実施形態では、キーボード５を構成する全てのキーについて、キー入力の時間間隔を計時することとしたが、これに限らず、例えば、「Ｓｈｉｆｔ」キーや「Ｃｔｒｌ」キー、「Ａｌｔ」キー等の制御キーを経過時間の計時対象から除外する形態としてもよい。
【００４４】
また、本実施形態では、直前のキー入力と、次のキー入力との２文字分の入力時間に基づいて、タッチパッド６の機能のオン／オフを切り替えることとしたが、これに限らず、３文字以上の入力時間に基づいて、タッチパッド６の機能のオン／オフを切り替える形態としてもよい。この場合、例えば、直前のキー入力から数えて３文字目以上のキー入力が、第１制限時間（又は、第２制限時間）以内に検知されたか否かを判定すればよい。
【００４５】
また、キーボードドライバ１４４に対する上位ドライバとして、キーボードフィルタドライバを備えた構成の場合には、このキーボードフィルタドライバを用いて、キー入力を監視し、上記したポインティングデバイス制御処理を実行する形態としてもよい。
【００４６】
［第２の実施形態］
上述した第１の実施形態では、キーボードドライバ１４４にてキー入力間の経過時間を計時し、当該キーボードドライバ１４４がタッチパッド６の機能をオン／オフ制御する形態について説明した。第２の実施形態では、キーボード５及びタッチパッド６が接続されるエンベデッドコントローラにて、キー入力間の経過時間の計時と、タッチパッド６の機能をオン／オフ制御とを行う形態について説明する。なお、第１の実施形態と同様の構成要素については、同一の符号を付与し説明を省略する。
【００４７】
図４は、第２の実施形態に係るパソコン１の内部構成を模式的に示した図である。同図に示したように、第２の実施形態の構成では、上述した第１の実施形態のＥＣ１８に換えて、ＥＣ２１を備えている。
【００４８】
ここで、ＥＣ２１は、上述したＥＣ１８と同様の機能を有するとともに、ＫＢＣ１８１から伝達される信号からキーボード５でのキー入力を検知し、このキー入力間の経過時間を計時する。また、ＥＣ２１は、計時した経過時間に基づいてタッチパッド６の機能をオン／オフ制御する。なお、時間間隔の計時は、第２のバス２０に流れるバスクロックや、図示しないＲＴＣ等から得られる時刻情報に基づいて行われるものとする。
【００４９】
以下、図５を参照して、本実施形態の動作について説明する。ここで、図５は、本実施形態に係るポインティングデバイス制御処理の手順を示したフローチャートである。なお、本処理の前提として、パソコン１の起動時にタッチパッド６の機能が自動的にオンされるよう、ＢＩＯＳ−ＲＯＭ１９等に予め設定されているものとする。
【００５０】
パソコン１が起動されると（ステップＳ２１）、ＥＣ２１は、ＫＢＣ１８１から伝達される信号の監視を開始し（ステップＳ２２）、キーボード５でのキー入力を検知可能な状態とする（ステップＳ２３；Ｎｏ）。
【００５１】
ここで、キーボード５の何れかのキーが入力されると、ＥＣ２１は、ＫＢＣ１８１から伝達された信号により、このキー入力を検知する（ステップＳ２３；Ｙｅｓ）。
【００５２】
このとき、ＥＣ２１は、ＫＢＣ１８１から伝達された信号の信号間隔、即ち、キー入力間の経過時間を計時し（ステップＳ２４）、直前のキー入力を検知したタイミングから第１制限時間以内に、次のキー入力を検知したか否かを判定する（ステップＳ２５）。ここで、直前のキー入力から第１制限時間以内に次のキー入力が検知されないと判定された場合には（ステップＳ２５；Ｎｏ）、ステップＳ２３の処理に再び戻る。
【００５３】
一方、ステップＳ２５において、直前のキー入力から第１制限時間以内に次のキー入力が検知された場合（ステップＳ２５；Ｙｅｓ）、ＥＣ２１は、タッチパッド６での操作を無効化するため、タッチパッド６の機能をオフとする（ステップＳ２６）。
【００５４】
具体的には、ＥＣ２１は、ＫＢＣ１８１から伝達されるタッチパッド６からの信号を破棄することで、タッチパッド６の機能をオフとし、タッチパッド６での操作を無効化する。なお、タッチパッド６の機能をオフする方法はこれに限らず、例えば、タッチパッド６との接続線をディスエーブル状態とすることで、タッチパッド６からの入力を受け付けない状態とする形態としてもよい。また、第２のブリッジ回路１６及び第１のブリッジ回路１２を介して、ＯＳ１４１やイベントユーティリティソフト１４３に、タッチパッドドライバ１４５での入力信号を破棄させることを指示したイベントを送信することで、ドライバレベルでタッチパッド６の機能をオフする形態としてもよい。
【００５５】
次いで、ＥＣ２１は、直前のキー入力を検知したタイミングから第２制限時間以内に、次のキー入力を検知したか否かを判定する（ステップＳ２７）。ここで、第２制限時間以内に次のキー入力が検知された場合（ステップＳ２７；Ｙｅｓ）、ステップＳ２６の処理へと再び戻り、タッチパッド６の機能のオフ状態を継続する。
【００５６】
一方、ステップＳ２７において、第２制限時間以内に次のキー入力が検知されないと判定した場合（ステップＳ２７；Ｎｏ）、ＥＣ２１は、タッチパッド６での操作を有効化するため、タッチパッド６の機能をオンとした後（ステップＳ２８）、ステップＳ２３の処理へと再び戻る。
【００５７】
以上のように、第２の実施形態によれば、第１制限時間以内にキー入力が連続的に行われた場合に、タッチパッド６での操作を無効化することで、キーボード５の操作時にタッチパッド６からの意図しない入力を防止することができる。また、複数のキー入力が行われた際のキー入力間の経過時間に基づいてタッチパッド６を制御することで、一文字分のキー入力がなされる毎にタッチパッド機能がオフされてしまうことを防止することが可能であるため、タッチパッド６の制御をより効率的に行うことができる。
【００５８】
以上、本発明の実施の形態について説明したが、本発明は上記実施形態に限定されるものではなく、本発明の主旨を逸脱しない範囲での種々の変更、置換、追加等が可能である。
【００５９】
例えば、上記実施形態では本発明に係る情報処理装置をノート型のパソコンとしたが、これに限らないものとする。また、上記実施形態では、ポインティングデバイスをタッチパッドとしたが、これに限らず、例えば、ポインティングスティック等の他のポインティングデバイスとしてもよい。
【図面の簡単な説明】
【００６０】
【図１】各実施形態に好適なノート型パソコンの概略構成を示した斜視図である。
【図２】第１の実施形態に係るパソコンの内部構成を模式的に示した図である。
【図３】第１の実施形態に係るポインティングデバイス制御処理の手順示したフローチャートである。
【図４】第２の実施形態に係るパソコンの内部構成を模式的に示した図である。
【図５】第２の実施形態に係るポインティングデバイス制御処理の手順示したフローチャートである。
【符号の説明】
【００６１】
１  パソコン
２  本体ケース
３  表示部ケース
４  ＬＣＤパネル
５  キーボード
６  タッチパッド
１１  ＣＰＵ
１２  第１のブリッジ回路
１３  ＣＰＵローカルバス
１４  主メモリ
１４１  ＯＳ（オペレーティングシステム）
１４２  ＢＩＯＳ
１４３  イベントユーティリティソフト
１４４  キーボードドライバ
１４５  タッチパッドドライバ
１５  メモリバス
１６  第２のブリッジ回路
１７  第１のバス
１８  ＥＣ（エンベデッドコントローラ）
１８１  ＫＢＣ（キーボードコントローラ）
１９  ＢＩＯＳ−ＲＯＭ
２０  第２のバス
２１  ＥＣ（エンベデッドコントローラ）
【図１】
2010086065.tif 000003
【図２】
2010086065.tif 000004
【図３】
2010086065.tif 000005
【図４】
2010086065.tif 000006
【図５】
2010086065.tif 000007